【事件の表示】
　平成１０年特許願第　３４０３５号「軸出装置」拒絶査定不服審判事件〔平成１１年　８月１０日出願公開、特開平１１−２１６６５０〕について、次のとおり審決する。
【結　論】
　本件審判の請求は、成り立たない。
【理　由】
１　手続の経緯及び本願発明
　本件出願は、平成１０年１月３０日の出願であって、その請求項１乃至３に係る発明は、平成１９年１１月５日付けの手続補正書により補正された明細書及び図面の記載からみて、その特許請求の範囲の請求項１乃至３に記載された事項により特定されるとおりのものと認められるところ、請求項１に係る発明（以下「本願発明」という。）は、次のとおりのものである。
「【請求項１】　被加工レンズに加工治具用のカップを取付けるためのカップ取付手段と、被加工レンが枠入れされる眼鏡枠形状データ及び眼鏡枠に対する被加工レンズのレイアウトデータを入力するデータ入力手段と、カップ取付手段が持つ基準軸に対して所定の関係を持つレチクルを形成するとともに、前記データ入力手段により入力されたデータに基づいて眼鏡枠形状をディスプレイに図形表示する図形表示手段と、を有し、前記基準軸に対して被加工レンズの軸出しを行う軸出し装置において、被加工レンズの径よりも大きく整形された平行光束により、指標板及び透明部材上に基準軸を中心にして等間隔に植設されたレンズ支持部により支持された被加工レンズを照明する照明手段と、被加工レンズを照明する光束により被加工レンズの輪郭像を形成し、被加工レンズ及び指標板を照明する光束により指標板の指標像を形成するスクリーンと、該スクリーンに投影された指標像及び被加工レンズの輪郭像を撮像する撮像手段と、該撮像手段による撮影画像を処理して前記指標像の位置を検出し被加工レンズの光学中心又は光学中心に加えて乱視軸を求める光学中心等検知手段と、前記ディスプレイに撮像手段による前記被加工レンズの輪郭像に重ねて光学中心又は光学中心に加えて乱視軸を示すターゲット情報を表示するターゲット表示手段と、を備え、前記ディスプレイ上の表示を観察して軸出しをすることを特徴とする軸出装置。」
　
２　引用刊行物
　これに対して、当審で平成１９年９月４日付けで通知した拒絶理由には、本件出願前に頒布された刊行物である次の刊行物１〜３が引用されており、各刊行物には、以下の技術的事項が記載されている。
［引用刊行物］ 
　刊行物１：特開平８−２３３６９３号公報 
　刊行物２：特開平９−２４８７４６号公報 
　刊行物３：特開平９−１０１２３８号公報 
　
（１）刊行物１
ア　段落【０００９】〜【００１０】
「図３のレンズメータ１の本体８の前面下部には、図１に示したようにキーボード９が設けられている。このキーボード９は、レンズの光学特性測定時に用いる多数の操作スイッチ１０と、データ入力モード設定用の多数のスイッチ１１と、データとしての数値入力用のテンキー１２を有する。また、本体８の前面中央には、内部にレンズ形状を測定するセンサーが第２図の測定部１３a(測定手段)として内蔵されているレンズ受け台１３が設けられている。
　このレンズ受け台１３には、図９，図１０に示したようなレンズ受け台用アダプターＡが取り付け可能である。アダプターＡの中央には擂り鉢状の凹部aが形成され、凹部aの中央には小孔ｂが形成されている。そして、アダプターＡをレンズ受け台１３上に取り付けて使用する場合には、凹部aの中心すなわち小孔ｂの中心Ｏbを測定部１３aの中心に一致させる。この状態で、凹部a内に被加工レンズを載置し、被加工レンズの外形中心の光学特性を測定することにより、プリズム量から光学中心を後述する演算手段で演算することにより算出できるように構成されている。これによれば、光学中心がその外形中心とずれている被加工レンズにも対応できる。」
　
イ　段落【００１２】
「上述の取付突部１４の下部には、加工治具取り付け手段としての吸着盤取付レバー１６が軸線Ａ-Ａ´を中心に水平回動可能に且つ上下方向に駆動可能に装着されている。この吸着盤取付レバー１６の回動操作及び上下方向への駆動操作は、手動で行なうようにしているが、自動的に行なうようにしても良い。この吸着盤取付レバー１６の中間部には吸着盤ホルダー１７が設けられ、この吸着盤ホルダー１７には加工治具としてのゴム製の吸着盤１８の取付軸部１８aが着脱自在に保持されるようになっている。」
　
ウ　段落【００１３】〜【００１４】
「本体８の内部には、図２に示したような制御回路１９が設けられている。この制御回路１９は、演算制御部２０と、データ入力部２１と、データ記憶メモリ２２を有する。
　このデータ入力部２１は、レンズ径入力部２１a(被加工レンズの外周情報入力手段)，フレームPD入力部２１b，瞳孔PD入力部２１c，レンズデータ入力部２１d(レンズデータ入力手段)，偏心量入力部２１e等から構成されている。しかも、このデータ入力部２１は、図１に示したモード設定用のスイッチ１１で選択されて、レンズ径，フレームPD，瞳孔PD，レンズデータ，偏心量(プリズム作用を出すための移動量)等を演算制御部２０(演算手段)に入力する。尚、フレームPD入力部２１bと瞳孔PD入力部２１Cはアイポイント入力手段を構成している。また、フレームPDは、図４に示すようにメガネフレームＭＦの両レンズ枠(フレーム枠)Ｆにおけるレンズ枠中心間距離すなわち幾何学中心間の距離ｄ1を示すものであり、瞳孔PDは、図５に示すように装用者の両眼における瞳孔中心間の距離ｄ2を示すものである。」
　
エ　段落【００１９】〜【００２０】
「一方、演算制御部２０からは、フレーム枠の形状データが含まれる加工データをICカードデータ記録再生装置２のICリードライター２bに入力すると共に、被加工レンズＬのデータや形状，レンズ枠等をモニターTV１５に入力して表示させる。このICリードライター２bは、被加工レンズ周縁部の研削加工制御に必要な加工データを玉摺機６に入力する。また、演算制御部２０はブザー２３を駆動制御する。
　この演算制御部２０は、フレームPDと瞳孔PDからフレーム枠Ｆ内に設けるアイポイントＰの位置(図６参照)を演算する。そして、このアイポイントＰと被加工レンズＬの光学中心Ｏとを一致させ、選択されたメガネフレームＭＦ(図３)に対して素地切れが生じないかどうかを演算する。この際、モニターTV１５上にフレーム枠Ｆと被加工レンズＬを重ね合わせた表示を行ない、視覚的にレンズの素地切れ状態を観察可能とする。また、図６に示した処方データのアイポイントＰと図７に示した被加工レンズＬの光学中心Ｏを図８に示した如く一致させると共に、図６に示した処方データの乱視軸Ｘと図７に示した被加工レンズＬの円柱軸Ｘ´を図８に示した如く一致させて表示させる。」
　
オ　段落【００２３】〜【００２４】
「更に、この被加工レンズＬの光学特性も処方データ通りのものであれば、レンズ受け台１３上のモニターTV１５画面上に固定表示されているフレーム枠Ｆ，アイポイントＰ，処方データの乱視軸Ｘと被加工レンズＬの光学中心Ｏ，円柱軸Ｘ´とを一致させる。この場合、乱視軸Ｘと円柱軸Ｘ´、アイポイントＰと光学中心Ｏとが一致するように被加工レンズＬの位置を調整する。
　そして、吸着盤取付レバー１６の吸着盤ホルダー１７に吸着盤１８を保持させた後、この吸着盤取付レバー１６を９０度回転させることにより、吸着盤１８の中心を被加工レンズＬの光学中心Ｏに一致させる。次に、この吸着盤取付レバー１６を押し下げて、吸着盤取付レバー１６の吸着盤１８をレンズ受け台１３上の被加工レンズＬに吸着させる。この吸着に際しては、吸着盤１８の中心と被加工レンズＬの光学中心Ｏとが一致させられる。
　このように、フレーム枠Ｆ，アイポイントＰ，処方データの乱視軸Ｘと被加工レンズＬの光学中心Ｏ，円柱軸Ｘ´とを一致させるとともに吸着盤１８の中心を被加工レンズＬの光学中心Ｏに一致させて吸着盤取付レバー１６を押し下げるだけで、被加工レンズＬに吸着盤１８を吸着させることができるので、従来の吸着器が不要であり、また、吸着器に被加工レンズＬをセットする必要がないので、吸着盤の取り付け作業は簡単なものとなる。」
　
カ　段落【００３１】〜【００３２】
「図１２に示すように、レンズメータ３０は測定光学系と第１観察光路及び第２観察光路を形成する第１，第２観察光学系を有している。
　測定光学系は、光源３８、コンデンサーレンズ３９、絞りマスク４０、コリメータレンズ４１、ハーフミラー３６、リングマスク３４、反射ミラー４２、フォーカスレンズ４３、ＣＣＤ４４等の光学部材を有する。そして、光源３８からの照明光は、コンデンサーレンズ３９，絞りマスク４０、コリメータレンズ４１、ハーフミラー３６、リングマスク３４、反射ミラー４２、フォーカスレンズ４３を介してレンズ載置台３３に載置された被加工レンズＬをＣＣＤ４４に投影させる。この投影像は、図１３に示すように、円柱屈折がない場合は円環状の像Ａとなり、円柱屈折がある場合は歪んだ楕円状の像Ｂとなる。そして、この投影像により演算制御部２０´において被加工レンズＬの光学特性が測定され、その結果を表示部３２の表示面３２aに図１１に示すように表示させる。」
　
キ　段落【００３６】〜【００３９】
「また、図１４に示すように、演算制御部２０´は処方データのデータを演算処理してフレーム形状Ｄ1，フレーム中心Ｄ2，瞳孔中心Ｄ3及び乱視軸Ｘ等を表示面３２aに表示させる。このとき、図１５に示すように乱視軸Ｘは所定の角度αを有して表示される。
　そして、例えば表示面３２aを見ながら被加工レンズＬを手動により調整し、円柱軸Ｘ´方向を乱視軸Ｘ方向に、光学中心Ｏを瞳孔中心Ｄ3にそれぞれ一致させることにより、表示面３２a上の被加工レンズＬが素地切れ状態となるか否かを確認する。
　また、多焦点レンズ(図１６の二重焦点レンズ)等レンズ表面を考慮しなければならないときには、レンズ表面を観察し近用部Ｌ1´が正しくフレーム形状Ｄ1内に入っているかを確認する。また、近用瞳孔PDを予め入力しておくことにより、近用瞳孔中心Ｄ4を表示させるようにしてもよい。」
　
　上記摘記事項ウからみて、刊行物１において被加工レンズが枠入れされる眼鏡枠形状データ及び眼鏡枠に対する被加工レンズのレイアウトデータを入力するデータ入力手段を備えることは明らかである。また、摘記事項オの「フレーム枠Ｆ，アイポイントＰ，処方データの乱視軸Ｘと被加工レンズＬの光学中心Ｏ，円柱軸Ｘ´とを一致させるとともに吸着盤１８の中心を被加工レンズＬの光学中心Ｏに一致させて吸着盤取付レバー１６を押し下げるだけで、被加工レンズＬに吸着盤１８を吸着させることができる」との記載及び図８の記載からみて、刊行物１が、カップ取付手段が持つ基準軸に対して所定の関係を持つレチクルを形成するとともに、データ入力手段により入力されたデータに基づいて眼鏡枠形状をモニターTVに図形表示する図形表示手段を有し、前記基準軸に対して被加工レンズの軸出しを行う軸出装置を開示していることも明らかである。
　
　上記摘記事項ア〜オ及び図１〜１０に記載された事項を技術常識を勘案しながら本願発明に照らして整理すると、刊行物１には、次の発明（以下「引用発明」という。）が記載されているものと認められる。
「被加工レンズに吸着盤を取付けるための吸着盤取付レバーと、被加工レンズが枠入れされる眼鏡枠形状データ及び眼鏡枠に対する被加工レンズのレイアウトデータを入力するデータ入力手段と、カップ取付手段が持つ基準軸に対して所定の関係を持つレチクルを形成するとともに、前記データ入力手段により入力されたデータに基づいて眼鏡枠形状をモニターTVに図形表示する図形表示手段と、を有し、前記基準軸に対して被加工レンズの軸出しを行う軸出し装置において、被加工レンズの光学特性を測定することにより被加工レンズの光学中心等を求める手段と、前記モニターTVに、データ入力手段により入力された被加工レンズの形状に重ねて光学中心又は乱視軸を示す情報を表示する表示手段と、を備え、前記モニターTV上の表示を観察して軸出しをする軸出装置。」
　
　また、上記摘記事項カ、キ及び図１１〜１６等の記載からみて、刊行物１には、次の事項（以下「刊行物１記載の事項」という。）も記載されているものと認められる。 
「被加工レンズの軸出しを行う軸出し装置において、平行光束により被加工レンズ及びリングマスクを照明する照明手段と、被加工レンズ及びリングマスクを照明する光束によりリングマスクの像を撮像するＣＣＤと、撮影画像を処理して被加工レンズの光学中心又は光学中心に加えて乱視軸を求めること。」 
 　 
（２）刊行物２ 
ア　段落【０００９】〜【００１０】
「図１、図２は本発明に係る軸打機１２の概略図を示しており、図に於いて筐体１の上部は庇状となっており、又筐体１の下部は前方に突出しており、下部と上部とを区画する盤台２が設けられ、該盤台２には生地レンズが載置されるスクリーン３が設けられている。該スクリーン３は透明、若しくはすりガラス等の半透明板であり、該スクリーン３には目盛り等が刻印されている。該スクリーン３の下面に透光性の電子表示板４が配設され、該電子表示板４は支持枠５に支持されている。該電子表示板４には表示内容を制御する表示制御部２０（後述）が接続されている。
　前記スクリーン３に対峙した集光レンズ６が該スクリーン３の上方に設けられ、該集光レンズ６の上側に筐体上部の庇部７に固定された上部反射鏡８が設けられ、前記スクリーン３に対峙して配置された下部反射鏡９が前記筐体下部に収納されて設けられている。前記上部反射鏡８に水平方向から対向し、筐体１の上部奥側に光源１０が配置され、前記下部反射鏡９に対向し、上斜め前方位置に覗き窓１１が設けられている。而して、前記光源１０より照射された光は前記上部反射鏡８で垂直下方に変向され、更に前記集光レンズ６で平行光線とされ、前記スクリーン３に照射される。該スクリーン３、電子表示板４を透過した光は前記下部反射鏡９で反射され、前記覗き窓１１より射出される。前記集光レンズ６は光源１０からの光線を平行光線とするものであり、凹面鏡に置換することができる。」
　
イ　段落【００１８】
「発せられた光は前記上部反射鏡８で反射され、前記集光レンズ６で平行な光束に集光され、生地レンズ１９に投射され、該生地レンズ１９を前記スクリーン３に投影する。前記生地レンズ１９の平面形状、２重焦点レンズの小玉、軸打機のレンズ取付け位置を示す十字線等を前記スクリーン３に投影する。又、前記スクリーン３の材質を半透明とすると２重焦点レンズの小玉レンズの輪郭がはっきりと判別できる。」
　
ウ　段落【００２１】〜【００２２】
「前記覗き窓１１からは前記下部反射鏡９に投影された映像を観察することができ、前記下部反射鏡９に投影される映像は前記生地レンズ１９が投影されたスクリーン３の投影像と前記電子表示板４に表示された形状の合成像である。又、前記した様にレンズ枠図形は生地レンズ１９の焦点（レンズ中心）と一致しているので、観察される合成像でレンズ枠図形が生地レンズ１９の外径内に含まれていれば玉摺機でレンズ枠形状に加工可能である。
　更に、生地レンズ１９が乱視用のレンズであれば乱視軸を合わせる必要があるが、乱視軸は前記スクリーン３に描かれた目盛りを利用するか、或は前記電子表示板４に軸表示線を表示させ、該軸表示線を利用して生地レンズ１９の乱視軸を合わせる。或は小玉を有する２重焦点用のレンズの場合は、前記操作部２２の小玉釦３５（後述）を操作し、前記電子表示板４に縦３本線２６を表示させ（図６（Ａ）参照）、該縦３本線２６に前記小玉レンズ２７を合わせ小玉レンズ２７の中心設定を行う。」
　
エ　段落【００３０】
「【発明の効果】以上述べた如く本発明によれば、レンズ枠のデータに従って電子表示板にレンズ枠の形状を表示し得るので、形状変更が容易に行え、生地レンズと前記表示されたレンズ枠形状の重合で生地レンズの研削可能であるかどうかを容易に判別でき、フレーム形状に合わせた形を板製作する必要がなく、工程数が減少し、作業が著しく向上する。又、スクリーンに投影されたレンズ枠形状を比較することで研削の可否が判断でき、更に表示内容を移動できるのでレンズとの位置合わせが容易に行え、更に他の装置とのデータ通信が可能であるので効率が向上する等の優れた効果を発揮する。」
　
オ　図１の記載によれば、光源１０、上部反射鏡８及び集光レンズ６からなる照明手段が生地レンズ１９の径よりも大きく整形された平行光束により、生地レンズ１９を照明することが看取できる。
　
　上記記載事項及び図面の記載からみて、刊行物２には、次の事項が記載されているものと認められる。 
「軸打機において、生地レンズの径よりも大きく整形された平行光束により、生地レンズを照明する照明手段と、生地レンズを照明する光束により被加工レンズの輪郭像を形成するスクリーンと、該スクリーンに投影された生地レンズの輪郭像に重ねて電子表示板にレンズ枠図形、光学中心又は光学中心に加えて乱視軸を示す軸表示線を表示し、覗き窓から前記表示を観察して軸出しをすること。」 
 　 
（３）刊行物３ 
ア　段落【００１０】〜【００１２】
「尚、レンズ受４の光学中心は図２に示す測定光学系２０の光学中心（測定光軸）２０aとなっている。また、上部筺体５には、レンズ受４に向けて平行な照明光束を照射する照明光学系２１が内蔵されている。
　照明光学系２１は、光源２２と、少なくとも３つの点状のマークを被検レンズＬに投影するためのマーク板２３とコリメータレンズ２４等とを有している。
　下部筺体３には、受光光学系２５が内蔵されており、受光光学系２５は結像レンズ２６とＣＣＤからなるエリアセンサ２７等とを有している。エリアセンサ２７上には、被検レンズＬを透過してきた点状のマーク光束が結像レンズ２６を透過して投影され点状のマーク像が結像される。そして、照明光学系２１と受光光学系２５とで被検眼レンズＬのプリズム量や屈折力等の測定を行う測定光学系２０が構成される。」
　
イ　段落【００２４】〜【００２７】
「一方、メインスイッチの投入により測定光学系２０の光源２２が点灯して被検レンズＬに点状のマークが投影され、そのマークが被検レンズＬを透過してエリアセンサ２７上にマーク像が結像される。そして、このエリアセンサ２７から出力される測定信号に基づいて演算制御回路４０は、測定光学系の測定光軸２０aからの被検レンズＬのレンズ光軸の位置を示すのに用いる同心の等プリズム線１２を図１に示すようにモニタ２に表示させる。
　また、演算制御回路４０は、エリアセンサ２７からの信号に基づいて、測定光学系の測定光軸２０aに対する被検レンズＬのプリズム量を演算して求め、このプリズム量をメモリ４３に記憶させる。この演算も例えば０.１秒間隔毎に行っていく。
　さらに、演算制御回路４０は、測定光軸２０aに対する被検レンズＬのレンズ光軸の位置を示すために、上記プリズム量に基づいて、十字状のターゲット像１３を等プリズム線１２に重ねて表示させる。なお、ターゲット像１３は縦線１３aと横線１３bとからなり、その交点１３cが被検レンズＬに対する測定光軸２０aを表わし、等プリズム線１２の中心位置１２aが被検レンズＬの光軸を示す。
　また、演算制御回路４０は、エリアセンサ２７からの測定信号に基づき、被検レンズＬの球面度数等を０.１秒間隔毎に演算していき、この演算した球面度数Ｓ,円柱度Ｃ,軸角度Ａ等をメモリ４１に記憶させていくとともにモニタ２に表示させる。この表示は、例えば０.５秒間隔毎の演算結果を表示して、球面度数Ｓ,円柱度Ｃ,軸角度Ａ等の表示を見やすくする。」
　
　上記記載事項及び図面の記載からみて、刊行物３には、次の事項が記載されているものと認められる。 
「マーク板及び被検レンズを照明する照明手段と、被検レンズ及びマーク板を照明する光束によりマーク板の像を撮像するエリアセンサと、該エリアセンサによる撮影画像を処理して被検レンズの光学中心、円柱度等を求めること。」 
　
３　対比
　本願発明と引用発明とを対比すると、引用発明における「吸着盤」は本願発明における「加工治具用のカップ」に相当し、以下同様に、「吸着盤取付レバー」は「カップ取付手段」に、「モニターTV」は「ディスプレイ」に、それぞれ相当する。
　そして、引用発明における「被加工レンズの光学特性を測定することにより被加工レンズの光学中心等を求める手段」は、被加工レンズの光学中心等を求める手段という限りで、本願発明における「被加工レンズの径よりも大きく整形された平行光束により、指標板及び透明部材上に基準軸を中心にして等間隔に植設されたレンズ支持部により支持された被加工レンズを照明する照明手段と、被加工レンズを照明する光束により被加工レンズの輪郭像を形成し、被加工レンズ及び指標板を照明する光束により指標板の指標像を形成するスクリーンと、該スクリーンに投影された指標像及び被加工レンズの輪郭像を撮像する撮像手段と、該撮像手段による撮影画像を処理して前記指標像の位置を検出し被加工レンズの光学中心又は光学中心に加えて乱視軸を求める光学中心等検知手段」と共通している。
　また、引用発明における「モニターTVに、データ入力手段により入力された被加工レンズの形状に重ねて」表示することは、「ディスプレイに被加工レンズの輪郭像に重ねて」表示するという限りで、本願発明における「ディスプレイに撮像手段による前記被加工レンズの輪郭像に重ねて」表示することと共通する。
　さらに、引用発明において、「乱視軸を示す情報」及び「表示手段」は、それぞれ「乱視軸を示すターゲット情報」及び「ターゲット表示手段」ということができるものである。
　したがって、両者の一致点と相違点は次のとおりと認められる。
［一致点］
「被加工レンズに加工治具用のカップを取付けるためのカップ取付手段と、被加工レンが枠入れされる眼鏡枠形状データ及び眼鏡枠に対する被加工レンズのレイアウトデータを入力するデータ入力手段と、カップ取付手段が持つ基準軸に対して所定の関係を持つレチクルを形成するとともに、前記データ入力手段により入力されたデータに基づいて眼鏡枠形状をディスプレイに図形表示する図形表示手段と、を有し、前記基準軸に対して被加工レンズの軸出しを行う軸出し装置において、被加工レンズの光学中心等を求める手段と、前記ディスプレイに被加工レンズの輪郭像に重ねて光学中心又は光学中心に加えて乱視軸を示すターゲット情報を表示するターゲット表示手段と、を備え、前記ディスプレイ上の表示を観察して軸出しをする軸出装置。」である点。
［相違点］ 
　本願発明では、「被加工レンズの径よりも大きく整形された平行光束により、指標板及び透明部材上に基準軸を中心にして等間隔に植設されたレンズ支持部により支持された被加工レンズを照明する照明手段と、被加工レンズを照明する光束により被加工レンズの輪郭像を形成し、被加工レンズ及び指標板を照明する光束により指標板の指標像を形成するスクリーンと、該スクリーンに投影された指標像及び被加工レンズの輪郭像を撮像する撮像手段と、該撮像手段による撮影画像を処理して前記指標像の位置を検出し被加工レンズの光学中心又は光学中心に加えて乱視軸を求める光学中心等検知手段と」を備え、前記ディスプレイに撮像手段による前記被加工レンズの輪郭像に重ねてターゲット情報を表示するのに対し、引用発明では、光学中心等をどのようにして検出するか明らかでなく、ディスプレイに重ねて表示する被加工レンズの輪郭像が、データ入力手段により入力された被加工レンズの形状である点。 
　
４　相違点についての検討
　引用発明も被加工レンズの光学特性を測定することにより被加工レンズの光学中心等を求めていることから、照明手段、撮像手段等からなる測定手段を備えるものであることは明らかである。
　刊行物１には、引用発明に加えて、上記２（１）に示したとおり、「被加工レンズの軸出しを行う軸出し装置において、平行光束により被加工レンズ及びリングマスクを照明する照明手段と、被加工レンズ及びリングマスクを照明する光束によりリングマスクの像を撮像するＣＣＤと、撮影画像を処理して被加工レンズの光学中心又は光学中心に加えて乱視軸を求めること。」が記載されている。上記刊行物１記載の事項における「リングマスク」は指標板ということができ、同「ＣＣＤ」は指標板の指標像を形成するスクリーン及び該スクリーンに投影された指標像を撮像する撮像手段ということができるものである。また、撮影画像を処理することには指標像の位置を検出することも含まれることが明らかである。
　そうすると、刊行物１記載の事項は、「被加工レンズの軸出しを行う軸出し装置において、平行光束により被加工レンズ及び指標板を照明する照明手段と、被加工レンズ及び指標板を照明する光束により指標板の指標像を形成するスクリーンと、該スクリーンに投影された指標像を撮像する撮像手段と、該撮像手段による撮影画像を処理して前記指標像の位置を検出し被加工レンズの光学中心又は光学中心に加えて乱視軸を求めること。」と言い換えることができる。
　また、刊行物３に記載された「マーク板」及び「被検レンズ」は、それぞれ指標板及び被加工レンズということができるから、刊行物３にも、上記刊行物１記載の事項と同様の事項が記載されているとすることができる。
　さらに、照明手段の平行光束により指標板及び被検レンズを照明することも例えば特開平９−２８８０３９号公報にも示されているように従来周知の事項であるとともに、被加工レンズの支持手段として、透明部材上に基準軸を中心にして等間隔に植設されたレンズ支持部を用いることも当業者が必要に応じて適宜採用することのできる設計的事項にすぎない。
　一方、刊行物２には、上記２（２）に示したとおりの事項が記載されており、刊行物２における「軸打機」、「生地レンズ」、「レンズ枠図形」及び「軸表示線」は、それぞれ本願発明における「軸出し装置」、「被加工レンズ」、「眼鏡枠形状」及び「ターゲット情報」に相当するから、刊行物２には、「軸出し装置において、被加工レンズの径よりも大きく整形された平行光束により、被加工レンズを照明する照明手段と、被加工レンズを照明する光束により被加工レンズの輪郭像を形成するスクリーンと、該スクリーンに投影された被加工レンズの輪郭像に重ねて電子表示板に眼鏡枠形状、光学中心又は光学中心に加えて乱視軸を示すターゲット情報を表示し、覗き窓から前記表示を観察して軸出しをすること。」が記載されているとすることができる。
　刊行物２に記載の事項は、スクリーンに投影された被加工レンズの輪郭像を撮像するものではないが、被加工レンズの輪郭像と重ねて眼鏡枠形状等を表示する際にスクリーンに投影された輪郭像を用いるか撮像されたものを用いるかは、当業者が適宜選択することのできる事項にすぎない。
　してみると、引用発明に、刊行物１、３に記載の事項、刊行物２に記載の事項及び従来周知の事項を適用して上記相違点に係る本願発明の特定事項とすることは当業者が容易になし得たことである。 
 　 
　また、本願発明の作用効果についてみても、引用発明、刊行物１〜３に記載の事項及び従来周知の事項から当業者が十分予測し得る範囲内のものであって、格別顕著なものとはいえない。 
 　 
　よって、本願発明は、引用発明、刊行物１〜３に記載の事項及び従来周知の事項に基づいて当業者が容易に発明をすることができたものである。 
　
　なお、請求人は平成１９年１１月５日付け意見書において、概略、「この刊行物２は、予めレンズメータ等により被加工レンズに印点する作業段階を経ることを前提とするカップ取付け装置であって、両者を組み合わせるとしても、自動レンズメータの構成を脱却しようとする技術思想がない以上、刊行物１以上の技術を示唆することはないものと思料いたします。」と主張している。
　しかしながら、刊行物２においてもスクリーンに投影された被加工レンズの輪郭像を用いて被加工レンズのサイズ不足の確認を行うものであるところ（上記摘記事項２（２）ウ、エ参照）、サイズ不足の確認には被加工レンズに予め印点することが何ら問題とならないことは明らかであるから、上述のとおり、引用発明に刊行物１、３に記載の事項、刊行物２記載の事項及び従来周知の事項を適用して上記相違点に係る本願発明の特定事項とすることは当業者が容易になし得た事項というべきである。
　よって、請求人の上記主張は採用することができない。
　
５　むすび
　以上のとおりであり、本件出願の請求項１に係る発明は、引用発明、刊行物１〜３に記載の事項及び従来周知の事項に基づいて当業者が容易に発明をすることができたものであるから、特許法第２９条第２項の規定により特許を受けることができないものである。
　したがって、本件出願のその余の請求項に係る発明について検討するまでもなく、本件出願は拒絶されるべきものである。
　よって、結論のとおり審決する。